(57)【要約】【課題】浸透性に優れ、メンテナンスも容易であり、浮き上がりも防止できる浸透フィルター装置を提供する。【解決手段】本浸透フィルター装置１は、貫通孔４から集水枡２内に向かって上下方向に延び、筒状で外周部にフィルター部材１５を有する上部構造体１０と、貫通孔４から地中内に向かって上下方向に延び、筒状で外周部にフィルター部材１５を有する下部構造体１１とを備え、両者はネジ結合により着脱自在に連結されるので、浸透性に優れ、メンテナンスが容易となる。【選択図】図１
2012062696.tif 000002
【特許請求の範囲】
【請求項１】
集水施設の底壁に形成された貫通孔を介して上下方向に延びる浸透フィルター装置であって、
前記浸透フィルター装置は、前記貫通孔から前記集水施設内に向かって上下方向に延び、筒状で外周部にフィルター部材を有する上部構造体と、前記貫通孔から前記地中内に向かって上下方向に延び、筒状で外周部にフィルター部材を有する下部構造体とを備え、
前記上部構造体と前記下部構造体とはネジ結合により着脱自在に連結されることを特徴とする浸透フィルター装置。
【請求項２】
前記上部構造体及び下部構造体は、周壁に複数の開口部を有する筒状の支持部材と、
該支持部材の外周を覆うシート状の前記フィルター部材と、
該フィルタ部材の外周を螺旋状に取り巻く螺旋状部材と、
を含むことを特徴とする請求項１に記載の浸透フィルター装置。
【請求項３】
前記上部構造体と下部構造体との間に、両者とネジ結合で着脱自在に連結され、且つ前記貫通孔に固定される固定部材が設けられ、該固定部材の外周面には環状段差部が形成されることを特徴とする請求項１または２に記載の浸透フィルター装置。
【請求項４】
前記上部構造体の上端開口部及び前記下部構造体の下端開口部のそれぞれには蓋部材がネジ結合により着脱自在に取り付けられることを特徴とする請求項１〜３のいずれかに記載の浸透フィルター装置。
【請求項５】
集水施設の底壁に形成された貫通孔に上下方向に延びる浸透フィルター装置を固定する施工方法であって、
前記浸透フィルター装置に前記貫通孔に固定される固定部材を備え、該固定部材の外周面に環状段差部を設け、
前記固定部材の環状段差部と前記貫通孔の内周面との間にモルタルまたはコンクリートを充填することを特徴とする浸透フィルター装置の施工方法。
【発明の詳細な説明】
【技術分野】
【０００１】
本発明は、集水施設内に流れ込んだ雨水を集水施設の底壁から地中に浸透させるための浸透フィルター装置及びその施工方法に関するものである。
【背景技術】
【０００２】
集水施設、例えば集水枡に流れ込んだ雨水は、集水枡の側壁に外部へ向かって取り付けられた他の配管によって集水枡の外部へ排出されたり、あるいは側壁に設けられた貫通孔を介して地面へ浸透されている。しかしながら、他の配管や側壁の貫通孔は最も低い位置に設けられているものでも集水枡の底壁からある程度離れた高さの位置に設けられているため、流れ込んだ全ての雨水を集水枡外に排出することはできなかった。このため集水枡の底部に溜まった雨水にボウフラ等の害虫が発生し衛生的にも良くなかった。そこで、集水した雨水を集水枡の底壁に設けた貫通孔から地面へ浸透させる装置が開発されてきた。
【０００３】
例えば、特許文献１には、雨水桝本体の底部より地中に縦パイプを垂下せしめ、雨水桝本体内に突出せしめた縦パイプの上端開口部にはフィルター部を着脱自在に取り付けると共に、縦パイプ内には透水用骨材を充填せしめた雨水桝が開示されている。
【先行技術文献】
【特許文献】
【０００４】
【特許文献１】実開昭６２−６６９８４号公報
【発明の概要】
【発明が解決しようとする課題】
【０００５】
上述した特許文献１に係る雨水桝では、雨水桝の底部で縦パイプ周りの泥溜まり部に水を含む泥やゴミ等が堆積するため衛生的に良くなく、泥やゴミ等により縦パイプの上部のフィルター部が目詰まりする虞もあり、所望の浸透効果を期待することはできない。また、雨水桝のメンテナンスを容易に実施することができない。しかも、特許文献１に係る雨水桝では、縦パイプは単にその雨水桝の底部の貫通孔に挿通されているだけであり浮き上がりに係る問題が発生する虞がある。
【０００６】
本発明は、かかる点に鑑みてなされたものであり、浸透性に優れ、メンテナンスも容易であり、浮き上がりも防止できる浸透フィルター装置及びその施工方法を提供することを目的とする。
【課題を解決するための手段】
【０００７】
本発明は、上記課題を解決するための手段として、請求項１に記載した浸透フィルター装置の発明は、集水施設の底壁に形成された貫通孔を介して上下方向に延びる浸透フィルター装置であって、前記浸透フィルター装置は、前記貫通孔から前記集水施設内に向かって上下方向に延び、筒状で外周部にフィルター部材を有する上部構造体と、前記貫通孔から前記地中内に向かって上下方向に延び、筒状で外周部にフィルター部材を有する下部構造体とを備え、前記上部構造体と前記下部構造体とはネジ結合により着脱自在に連結されることを特徴とするものである。
請求項１の発明では、集水施設の底部で上部構造体周りの泥溜まり部内の水は上部構造体の外周部に設けたフィルター部材から浸透して地中に排出されるため、泥溜まり部には少なくとも水が溜まることはない。そして、該泥溜まり部に泥やゴミが堆積した場合には、上部構造体を下部構造体から取り外して該泥溜まり部を容易に清掃することができ衛生的にも良好となる。しかも、上部構造体及び下部構造体を別々に洗浄することが可能になり集水施設のメンテナンスが容易に実施できる。
【０００８】
請求項２に記載した浸透フィルター装置の発明は、請求項１に記載した発明において、前記上部構造体及び下部構造体は、周壁に複数の開口部を有する筒状の支持部材と、該支持部材の外周を覆うシート状の前記フィルター部材と、該フィルタ部材の外周を螺旋状に取り巻く螺旋状部材と、を含むことを特徴とするものである。
請求項２の発明では、支持部材によりフィルター部材を支持すると共に、螺旋状部材によりネジ結合による両者の連結が容易に達成できる。
【０００９】
請求項３に記載した浸透フィルター装置に発明は、請求項１または２に記載した発明において、前記上部構造体と下部構造体との間に、両者とネジ結合で着脱自在に連結され、且つ前記貫通孔に固定される固定部材が設けられ、該固定部材の外周面には環状段差部が形成されることを特徴とするものである。
請求項３の発明では、施工時、固定部材の上面と集水施設の底壁の上面とを同一平面上に位置させて、固定部材に設けた環状段差部と貫通孔の内周面との間にモルタルまたはコンクリートが充填されて固定部材が貫通孔に固定されるために浸透フィルター装置の浮き上がりが防止される。
【００１０】
請求項４に記載した浸透フィルター装置の発明は、請求項１〜３のいずれかに記載した発明において、前記上部構造体の上端開口部及び前記下部構造体の下端開口部のそれぞれには蓋部材がネジ結合により着脱自在に取り付けられることを特徴とするものである。
請求項４の発明では、蓋部材により上部構造体及び下部構造体内への土砂等の侵入を防ぐことができる。
【００１１】
請求項５に記載した浸透フィルター装置の施工方法の発明は、集水施設の底壁に形成された貫通孔に上下方向に延びる浸透フィルター装置を固定する施工方法であって、前記浸透フィルター装置に前記貫通孔に固定される固定部材を備え、該固定部材の外周面に環状段差部を設け、前記固定部材の環状段差部と前記貫通孔の内周面との間にモルタルまたはコンクリートを充填することを特徴とするものである。
請求項５の発明では、浸透フィルター装置の浮き上がりを防止することができる。
【発明の効果】
【００１２】
本発明の浸透フィルター装置によれば、上部構造体と下部構造体とはネジ結合により着脱自在に連結されており、集水施設の底部で上部構造体の周辺の泥溜まり部に泥やゴミが堆積した場合でも、上部構造体を下部構造体から取り外すことで集水施設の底部を容易に清掃することができ、しかも、上部構造体を別の場所で洗浄することが可能になる。
また、本発明の浸透フィルター装置の施工方法によれば、施工時、固定部材の環状段差部と貫通孔の内周面との間にモルタルまたはコンクリートが充填されて浸透フィルター装置が集水施設の底壁の貫通孔に固定されるのでその浮き上がりが防止される。
【図面の簡単な説明】
【００１３】
【図１】図１は、本発明の実施の形態に係る浸透フィルター装置を示す半断面図である。
【図２】図２は、図１のＡ部拡大で断面図である。
【図３】図３は、上部及び下部構造体の斜視図である。
【図４】図４は、固定部材の斜視図である。
【図５】図５は、図４のＢ−Ｂ線に沿う断面図である。
【図６】図６は、蓋部材の斜視図である。
【発明を実施するための形態】
【００１４】
以下、本発明を実施するための最良の形態を図１〜図６に基づいて詳細に説明する。
本発明の実施の形態に係る浸透フィルター装置１は、図１に示すように、集水施設（本実施の形態では集水枡２）の底壁３に設けた貫通孔４に取り付けられる装置である。なお、集水施設の具体例としては、マンホール、浸透枡、集水枡、排水枡等を挙げることができる。以下この実施形態では集水施設を集水枡２として説明する。図１に示すように、集水枡２の側壁には集水された雨水を外部へ排出するための配管５が連結されている。排出手段としてはこの他に、側壁に貫通孔を形成し該貫通孔内にフィルターを配設したものであってもよい。ところで、配管５は集水枡２の底壁３からある程度（高さＨだけ）離れた位置に形成されていることが多い。したがって、配管５によって排出しきれない雨水が集水枡２の底部８（高さＨ以下の部分）に溜まってしまう。そして、本浸透フィルター装置１は、配管５や側壁の貫通孔では排出しきれない雨水を地中に浸透させるためのものである。
【００１５】
集水枡２は、上述したように、主に道路排水または敷地からの雨水を集水する集水施設として使用されるものであり底部８を備えている。図１に示すように、集水枡２の上部には集水枡蓋９が配設され、該集水枡蓋９には、道路上を流れてきた排水や隣接地から流れてきた雨水等が集水枡２内に流入する際に通過する流入孔（図示略）が設けられている。
【００１６】
集水枡２の底壁３には貫通孔４が形成されている。該貫通孔４は本発明の実施の形態に係る浸透フィルター装置１を組み付けるための孔であり、コア抜き用のドリル、コア抜きカッター等のコア抜き手段によって形成される。該貫通孔４の形状は、製作の容易性を考慮して円形状に形成されている。但し、円形状に限定されるものではなく、三角形状、四角形状等の多角形状に形成されるものであってもよい。
【００１７】
本浸透フィルター装置１は、図１に示すように、集水枡２の底壁３に設けた貫通孔４を介して上下方向に配置されるものであって、貫通孔４から集水枡２内に向かって上下方向に延びる上部構造体１０と、貫通孔４から地中内に向かって上下方向に延びる下部構造体１１と、上部構造体１０と下部構造体１１との間に配置され、両者とネジ結合で着脱自在に連結されると共に貫通孔４に固定される円筒状の固定部材１２とから構成される。
上部及び下部構造体１０、１１は、図３に示すように、支持部材として円筒状の塩化ビニル製管材１４（以下、塩ビ管という）と、該塩ビ管１４の外周を覆うように巻き付けられたシート状のフィルター部材１５と、該フィルター部材１５の外周を螺旋状に取り巻く螺旋状部材１６とから構成される。図１から解るように、上部構造体１０は、集水枡２の底壁３から配管５の下端までの高さＨより高く形成される。一方、下部構造体１１は上部構造体１０より高く（長く）形成される。
【００１８】
図３に示すように、塩ビ管１４はフィルター部材１５を支持するものであり、その周壁には、縦長の開口部１９が周方向に間隔を置いて複数形成されている。
フィルター部材１５は、十分な引張強度を有し、腐食等の観点から長期間の使用に耐えるもので、且つ透水性に優れ、砂と同等以上の透水係数を有するものが選定される。なお、フィルター部材１５の材質としては、ポリエステル、ポリプロピレン等が使用される。
螺旋状部材１６は、金属または硬質の合成樹脂製で形成され、図３に示すように、断面略コ字状の棒状体が螺旋状に巻かれて構成される。
なお、本実施の形態では、上部及び下部構造体１０、１１には支持部材として塩ビ管１４が採用されているが、耐食性に優れた金属製の管材を採用してもよい。
【００１９】
固定部材１２は、図２、図４及び図５に示すように、円筒状で所定長さ（集水枡２の底壁３の厚みよりも大）を有する小径のソケット１７と、該ソケット１７より大径で、該ソケット１７の若干上寄りの位置の外周面に固定される所定厚（集水枡２の底壁３の厚みよりも薄い）の環状モルタル受け１８とから構成される。その結果、環状モルタル受け１８の上側にはソケット１７の外周面との間に環状段差部２０が設けられる。
【００２０】
ソケット１７は、図２、図４及び図５に示すように、円筒状に形成され、その両端開口部にそれぞれ上部構造体１０及び下部構造体１１がネジ結合で連結される。ソケット１７の両端開口部付近の周壁にはそれぞれ、該周壁を所定の周方向範囲で内方に凹ませて設けた内向き凸部２２が周方向に間隔を置いて複数形成されて、且つ軸方向にも間隔を置いて複数段形成される。本実施の形態では、内向き凸部２２は周方向に１２０°間隔で３箇所形成されると共に軸方向に上下２段形成され、これら上下２段の各内向き凸部２２は位相が６０°相違して形成される。これら内向き凸部２２は、上部構造体１０及び下部構造体１１をソケット１７の両端開口部のそれぞれにネジ結合するために形成されたものである。
また、図２及び図５から解るように、ソケット１７の環状モルタル受け１８の固定位置より下方の周壁には、該周壁の全周を内方に凹ませた係止部２３が形成されている。
【００２１】
環状モルタル受け１８の外径は貫通孔４の内径より若干大きく形成されており、固定部材１２を貫通孔４に挿入する際、環状モルタル受け１８は貫通孔４に圧入するように挿入される。また、図５に示すように、環状モルタル受け１８の外周面には周方向に延びる断面Ｖ字状（またはＵ字状）の溝部２１が軸方向に連続して複数形成される。
【００２２】
なお、図２から解るように、ソケット１７に設けた係止部２３の下方には合成樹脂製のリング２６が係合される。該リング２６は、その内径がソケット１７に設けた係止部２３の内径より小径で、且つ上部及び下部構造体１０、１１の塩ビ管１４の内径よりも小径に形成されている。このリング２６により、上部及び下部構造体１０、１１をソケット１７内に挿入した後、上部及び下部構造体１０、１１それぞれの塩ビ管１４が係止部２３を越えて正規の位置から軸方向に移動するのを防止することができる。また、他の実施形態として、リング２６に代えて、塩ビ管１４の一端外周面に外径が係止部２３の内径よりも大径の環状凸部を設けて、該環状凸部がソケット１７内の係止部２３に干渉することで塩ビ管１４の正規の位置からの移動を防止するようにしてもよい。
【００２３】
また、図１に示すように、上部構造体１０の上端開口部及び下部構造体１１の下端開口部のそれぞれには蓋部材２４がネジ結合により着脱自在に取り付けられる。図６に示すように、各蓋部材２４は、合成樹脂製で有底円筒状に形成される。各蓋部材２４の周壁には全体として螺旋に延びる凹凸部２７が形成される。
【００２４】
次に、本発明の実施の形態に係る浸透フィルター装置１の施工方法を説明する。
本実施の形態では、既に設置してある集水枡２に本浸透フィルター装置１を施工する施工方法を説明するが、浸透フィルター装置１を新設しようとする集水枡２に設けることも可能である。
まず、集水枡２の底壁３に、コア抜きカッターによって所定径の貫通孔４を形成する。なお、新設する集水枡２に本実施の形態に係る浸透フィルター装置１を設ける場合、集水枡２の底壁３に設ける貫通孔４は、集水枡２を掘削した場所に据え付ける前に予め形成しておくようにしてもよい。
次に、スクリューオーガ等を使用して集水枡２の底壁３に設けた貫通孔４から下方の土を掘削してフィルター収容孔２５（図１参照）を形成する。このとき、スクリューオーガによって掘削された土は、建設工事用の掃除機等で吸引除去される。
【００２５】
次に、本浸透フィルター装置１の固定部材１２の構成であるソケット１７の下端開口部から（環状モルタル受け１８からのソケット１７の突出量が多い側から）リング２６を挿入して該リング２６をソケット１７の係止部２３に係合させると共に下部構造体１１を回転させながらねじ込みネジ結合で連結する。その際、下部構造体１１を、その螺旋状部材１６または塩ビ管１４の上端がリング２６に当接してそのねじ込みが不可能になるまでねじ込むようにする。ねじ込む際には、下部構造体１１の螺旋状部材１６がソケット１７の下端開口部の内周に設けた各内向き凸部２２に係合することで、下部構造体１１がソケット１７内にスムーズにねじ込まれ、挿入後の下部構造体１１の軸方向の移動が規制される。続いて、下部構造体１１の下端開口部に蓋部材２４を回転させながらねじ込みネジ結合で連結する。
【００２６】
次に、固定部材１２を含む下部構造体１１を蓋部材２４側から集水枡２の底壁３の貫通孔４からフィルター収容孔２５内に収容する。この時、固定部材１２の環状モルタル受け１８を貫通孔４に圧入すると共に、固定部材１２のソケット１７の上面と集水枡２の底壁３の上面とを同一平面上に位置させる。続いて、固定部材１２の環状段差部２０と貫通孔４の内周面との間にモルタル３０（またはコンクリート）を充填して固定部材１２を集水枡２の貫通孔４に固定することで、下部構造体１１を集水枡２の底壁３に固定する。
【００２７】
次に、上端開口部を蓋部材２４で閉鎖した上部構造体１０を用意して、上部構造体１０の下端開口部をソケット１７の上端開口部内に回転させながらねじ込みネジ結合で連結して、本浸透フィルター装置１の施工が完了される。その際、上部構造体１０を、その螺旋状部材１６または塩ビ管１４の下端が係止部２３またはリング２６に当接してそのねじ込みが不可能になるまでねじ込むようにする。ねじ込みの際には、上部構造体１０の螺旋状部材１６がソケット１７の上端開口部の内周に設けた各内向き凸部２２に係合することで、上部構造体１０がソケット１７内にスムーズにねじ込まれ、挿入後の上部構造体１０の軸方向の移動が規制される。
【００２８】
なお、長期間使用した集水枡２をメンテナンスする場合、上部構造体１０を回転させて下部構造体１１から取り外した後、集水枡２の底部８（泥溜まり部８ａ）に溜まった泥やゴミを建設工事用の掃除機等で吸引除去する。
次に、集水枡２の上方から下部構造体１１の内側に高圧洗浄機のノズルを挿入して高圧洗浄水を噴射することにより下部構造体１１を洗浄する。その後、下部構造体１１の底部で蓋部材２４上に溜まっている堆積物を建設工事用の掃除機等を使用して吸引除去する。
一方、下部構造体１１から取り外した上部構造体１０についても洗浄水やエアを用いて洗浄することにより、その上部構造体１０に付着しているゴミ等を除去する。
そして、上部構造体１０を固定部材１２のソケット１７（下部構造体１１）にネジ結合で再装着する。このようなメンテナンス作業を行うことで、集水枡２の浸透能力を施工時の状態に回復させることができる。
【００２９】
以上説明したように、本発明の実施の形態に係る浸透フィルター装置１では、上部構造体１０と下部構造体１１とが固定部材１２を介してネジ結合により着脱自在に連結されており、上部構造体１０の外周部にフィルター部材１５が設けられているので、上部構造体１０周りの泥溜まり部８ａに少なくとも水が溜まることはない。そして、泥溜まり部８ａに泥やゴミが堆積した場合でも、上部構造体１０を回転させることで容易に下部構造体１１から取り外すことができるので、集水枡２の底部８に堆積した泥やゴミを建設工事用の掃除機等で容易に吸引除去することができる。しかも、取り外した上部構造体１０は洗浄水やエアを用いて洗浄することができ、容易に集水枡２のメンテナンスを実施することができる。
【００３０】
また、本発明の実施の形態に係る浸透フィルター装置１では、施工時、固定部材１２の環状段差部２０と貫通孔４の内周面との間にモルタル３０（またはコンクリート）が充填されて浸透フィルター装置１が集水枡２の底壁３の貫通孔４に固定されるのでその浮き上がりを防止することができる。
【００３１】
なお、本発明の実施の形態に係る浸透フィルター装置１では、上部構造体１０と下部構造体１１とが固定部材１２を介してネジ結合により着脱自在に取り付けられているが、下部構造体１１を省く形態を採用してもよい。
この形態の場合には、集水枡２の底壁３に設けた貫通孔４から下方の土を掘削して砕石収容孔を形成した後、該砕石収容孔に砕石を多数収容する。次に、固定部材１２を集水枡２の貫通孔４に、上述した形態と同様にモルタル３０（またはコンクリート）により固定する。次に、上部構造体１０の下端開口部を固定部材１２のソケット１７の上端開口部内に回転させながらねじ込みネジ結合で連結して完了する。
そして、この実施形態においても、図１に示す本浸透フィルター装置１と同様の効果を奏することが可能になる。
【符号の説明】
【００３２】
１  浸透フィルター装置，２  集水枡（集水施設），３  底壁，４  貫通孔，８  底部，１０  上部構造体，１１  下部構造体，１２  固定部材，１４  塩化ビニル管材（支持部材），１５  フィルター部材，１６  螺旋状部材，１７  ソケット，１８  環状モルタル受け，２０  環状段差部，２３  係止部，２４  蓋部材，３０  モルタル
【図１】
2012062696.tif 000003
【図２】
2012062696.tif 000004
【図３】
2012062696.tif 000005
【図４】
2012062696.tif 000006
【図５】
2012062696.tif 000007
【図６】
2012062696.tif 000008